(57)【特許請求の範囲】
【請求項１】
住宅（１）の電力情報及び機器の動作の少なくとも一方を管理する管理部（２０１）と、
前記管理部を介した前記機器の操作、及び前記住宅の電力情報の表示の少なくとも一方を行うための所定画面を端末装置（２２，２３）に表示させるとともに、前記端末装置の使用者毎に割り振られた複数の前記所定画面を前記端末装置に表示させるものであり、前記所定画面のうちの所定表示が互いに異なるように、複数の前記所定画面を排他設定する制御部（２０２）と、
複数の前記端末装置のそれぞれにおける前記所定表示の設定情報が記憶された記憶部（２００）と、を備え、
前記制御部は、
前記所定画面における前記所定表示の設定を変更する際、変更する前記所定表示の設定と、前記記憶部に記憶された前記所定表示の設定情報とを比較し、変更する前記所定表示の設定が、前記所定表示の変更が行われる前記所定画面とは別の他の前記所定画面で既に用いられている設定情報である場合には、前記所定表示の変更を禁止する
住宅の管理システム。
【請求項２】
前記所定表示は、
前記所定画面に表示される文字、記号、操作部の色、及び背景色の少なくとも１つを含む
請求項１に記載の住宅の管理システム。
【請求項３】
前記記憶部には、
複数の前記使用者毎に割り振られた複数の登録識別情報が更に記憶され、
前記制御部は、
前記端末装置に入力される識別情報と前記登録識別情報とを比較することで前記端末装置の認証を行い、前記端末装置の認証が成立した場合、前記登録識別情報に対応する前記所定表示を用いて前記所定画面に表示させる
請求項１又は２に記載の住宅の管理システム。
【請求項４】
前記制御部は、
複数の前記所定画面にそれぞれ表示される操作部の大きさを共通の大きさに設定する
請求項１〜３のいずれか一項に記載の住宅の管理システム。
【発明の詳細な説明】
【技術分野】
【０００１】
本発明は、住宅の管理システムに関する。
【背景技術】
【０００２】
従来、住宅の管理システムとしては、特許文献１に記載のシステムがある。特許文献１に記載の電力管理システムでは、住宅の住人が端末装置を操作することにより、住宅内の各種機器を操作することが可能となっている。
【先行技術文献】
【特許文献】
【０００３】
【特許文献１】特開２００７−２２１１９４号公報
【発明の概要】
【発明が解決しようとする課題】
【０００４】
ところで、特許文献１に記載の住宅の管理システムを２世帯住宅で用いる場合、各世帯で端末装置を所持することが考えられる。この場合、各世帯が所持する端末装置が似たような大きさやデザインを有している場合、自身の端末装置を判別し難くなる。そのため、世帯間で端末装置の取り違えが生じる可能性がある。これが、端末装置の誤操作を招く要因となっている。
【０００５】
本発明は、こうした実情に鑑みてなされたものであり、その目的は、端末装置の誤操作を抑制することのできる住宅の管理システムを提供することにある。
【課題を解決するための手段】
【０００６】
上記課題を解決するために、住宅（１）の管理システム（２）は、管理部（２０１）と、制御部（２０２）と、記憶部（２００）とを備える。管理部は、住宅の電力情報及び機器の動作の少なくとも一方を管理する。制御部は、管理部を介した機器の操作、及び住宅の電力情報の表示の少なくとも一方を行うための所定画面を端末装置（２２，２３）に表示させるとともに、端末装置の使用者毎に割り振られた複数の所定画面を端末装置に表示させるものであり、所定画面のうちの所定表示が互いに異なるように、複数の所定画面を排他設定する。記憶部には、複数の前記端末装置のそれぞれにおける前記所定表示の設定情報が記憶されている。制御部は、所定画面における所定表示の設定を変更する際、変更する所定表示の設定と、記憶部に記憶された所定表示の設定情報とを比較し、変更する所定表示の設定が、所定表示の変更が行われる所定画面とは別の他の所定画面で既に用いられている設定情報である場合には、所定表示の変更を禁止する。
【０００７】
この構成によれば、所定画面に表示される所定表示が複数の使用者毎に異なるため、各世帯の住人が自身の所定画面を判別し易くなる。よって、端末装置の誤操作を抑制することができる。
【０００８】
なお、上記手段、及び特許請求の範囲に記載の括弧内の符号は、後述する実施形態に記載の具体的手段との対応関係を示す一例である。
【発明の効果】
【０００９】
本発明によれば、端末装置の誤操作を抑制することができる。
【図面の簡単な説明】
【００１０】
【図１】実施形態の住宅の概要を示すブロック図である。
【図２】実施形態の住宅の管理システムで用いられる端末装置の斜視構造を示す斜視図である。
【図３】実施形態のＨＥＭＳ装置の制御部により実行される処理の手順を示すフローチャートである。
【図４】実施形態の端末装置に表示されるログイン画面の概要を示す図である。
【図５】実施形態のＨＥＭＳ装置の記憶部に記憶されている情報を示す図表である。
【図６】実施形態の端末装置に表示される管理者用のホーム画面の概要を示す図である。
【図７】実施形態の端末装置に表示される管理者用の機器操作画面の概要を示す図である。
【図８】実施形態の端末装置に表示される第１世帯用のホーム画面の概要を示す図である。
【図９】実施形態の端末装置に表示される第１世帯用の機器操作画面の概要を示す図である。
【図１０】実施形態のＨＥＭＳ装置の制御部により実行される所定表示の排他設定処理の手順を示すフローチャートである。
【図１１】他の実施形態の端末装置に表示される管理者用のホーム画面の概要を示す図である。
【図１２】他の実施形態のＨＥＭＳ装置の記憶部に記憶されている情報を示す図表である。
【発明を実施するための形態】
【００１１】
以下、住宅の管理システムの一実施形態について説明する。
図１に示されるように、本実施形態の住宅１は、２つの世帯Ｈ１，Ｈ２の住人が居住する、いわゆる２世帯住宅である。以下では、住宅１の主な世帯を主世帯Ｈ１と称し、その他の世帯を副世帯Ｈ２と称する。主世帯は、例えば住宅１の持ち主の世帯である。
【００１２】
住宅１には、分電盤１０ａ，１０ｂと、メータ１１と、給湯装置１２と、太陽光発電装置１３と、ＰＣＳ（Power Conditioning System）１４と、蓄電装置１５と、充電スタンド１６とを備えている。
【００１３】
太陽光発電装置１３は、住宅１の屋上に配置された図示しない太陽光パネルにより太陽光のエネルギを直流電力に変換することで発電を行う。太陽光発電装置１３により発電された直流電力はＰＣＳ１４に供給される。
【００１４】
ＰＣＳ１４は、太陽光発電装置１３により発電された直流電力を、住宅１で使用可能な交流電力に変換する。ＰＣＳ１４で変換された交流電力は分電盤１０ａに供給される。
【００１５】
分電盤１０ａは、電力系統３及びＰＣＳ１４から供給される交流電力を主世帯Ｈ１の機器３０〜３３、分電盤１０ｂ、蓄電装置１５、及び充電スタンド１６に分配する。機器３０，３１は、主世帯Ｈ１の部屋Ｒ１０に設置されている。機器３２，３３は、主世帯Ｈ１の部屋Ｒ１１に設置されている。機器３０〜３３は、分電盤１０ａからの電力の供給に基づき駆動する。分電盤１０ａは、機器３０〜３３の消費電力を検出する機能を有している。また、分電盤１０ａは、ＰＣＳ１４から供給される電力、すなわち太陽光発電装置１３の発電量を検出する機能も有している。
【００１６】
分電盤１０ｂは、分電盤１０ａから供給される交流電力を副世帯Ｈ２の機器４０〜４３に分配する。機器４０，４１は、副世帯Ｈ２の部屋Ｒ２０に設置されている。機器４２，４３は、副世帯Ｈ２の部屋Ｒ２１に設置されている。機器４０〜４３は、分電盤１０ｂからの電力の供給に基づき駆動する。
【００１７】
メータ１１は、電力系統３から分電盤１０ａに至る電力線の途中に設けられている。メータ１１は、住宅１全体の消費電力を検出する。
【００１８】
給湯装置１２は、ヒートポンプ式の構成を有しており、空気の熱を利用して温水を生成する。給湯装置１２で生成される温水は住宅１で使用される。給湯装置１２は、メータ１１から分電盤１０ａに至る電力線に接続されている。すなわち、給湯装置１２には、電力系統３から直接電力が供給される。給湯装置１２は、自身の消費電力を監視する機能を有している。給湯装置１２は、各世帯Ｈ１，Ｈ２の住人により利用可能な機器である。
【００１９】
蓄電装置１５は、電力系統３及びＰＣＳ１４から分電盤１０ａを介して供給される電力に基づいて充電する。蓄電装置１５に充電された電力は、主世帯Ｈ１の機器３０〜３３や充電スタンド１６に供給される。また、蓄電装置１５に充電された電力は、分電盤１０ａ，１０ｂを介して副世帯Ｈ２の機器４０〜４３にも供給される。すなわち、蓄電装置１５は、各世帯Ｈ１，Ｈ２により利用される。蓄電装置１５は、自身の充電量を監視する機能を有している。
【００２０】
充電スタンド１６は、分電盤１０ａあるいは蓄電装置１５から供給される電力を車両４に供給する。車両４は、車両４に搭載された図示しないバッテリから供給される電力を動力源として走行するハイブリッド車や電動車両等である。具体的には、充電スタンド１６は、車両４に設けられた図示しないインレットに接続可能なプラグ１６０を備えている。プラグ１６０を車両４のインレットに接続すると、充電スタンド１６から車両４への電力供給が行われ、車両４のバッテリが充電される。充電スタンド１６は、自身の消費電力、すなわち車両４への供給電力を監視する機能を有している。充電スタンド１６は、各世帯Ｈ１，Ｈ２の住人により利用可能な機器である。
【００２１】
住宅１には、住宅１の電力状態及び機器の動作を統括的に管理する管理システム２が設けられている。管理システム２は、ＨＥＭＳ（Home Energy Management System）装置２０と、無線ルータ２１と、端末装置２２，２３とを備えている。
【００２２】
ＨＥＭＳ装置２０は、分電盤１０ａ，１０ｂ、メータ１１、給湯装置１２、蓄電装置１５、充電スタンド１６、主世帯Ｈ１の機器３０，３２、及び副世帯Ｈ２の機器４０，４２とローカルエリアネットワーク（ＬＡＮ）２５を介して通信可能に接続されている。ＨＥＭＳ装置２０は、分電盤１０ａ，１０ｂ、メータ１１、給湯装置１２、蓄電装置１５、及び充電スタンド１６からＬＡＮ２５を介して各種電力情報を取得するとともに、取得した電力情報に基づいて住宅１の電力状態を管理する。
【００２３】
具体的には、ＨＥＭＳ装置２０は、記憶部２００と、管理部２０１と、制御部２０２とを備えている。
【００２４】
管理部２０１は、住宅１の電力情報を管理している。管理部２０１は、例えば以下の（ａ１）〜（ａ１１）に示される電力情報を取得している。
【００２５】
（ａ１）管理部２０１は、分電盤１０ａから機器３０〜３３の消費電力の情報を取得し、それらの総計により主世帯Ｈ１の消費電力の情報を取得する。
（ａ２）管理部２０１は、分電盤１０ａから機器３０，３１の消費電力の情報を取得し、それらの総計により主世帯Ｈ１の部屋Ｒ１０の消費電力の情報を取得する。
（ａ３）管理部２０１は、分電盤１０ａから機器３２，３３の消費電力の情報を取得し、それらの総計により主世帯Ｈ１の部屋Ｒ１１の消費電力の情報を取得する。
（ａ４）管理部２０１は、分電盤１０ｂから機器４０〜４３の消費電力の情報を取得し、それらの総計により副世帯Ｈ２の消費電力の情報を取得する。
（ａ５）管理部２０１は、分電盤１０ｂから機器４０，４１の消費電力の情報を取得し、それらの総計により副世帯Ｈ２の部屋Ｒ２０の消費電力の情報を取得する。
（ａ６）管理部２０１は、分電盤１０ｂから機器４２，４３の消費電力の情報を取得し、それらの総計により副世帯Ｈ２の部屋Ｒ２１の消費電力の情報を取得する。
（ａ７）管理部２０１は、分電盤１０ａから太陽光発電装置１３の発電量の情報を取得する。
（ａ８）管理部２０１は、メータ１１から住宅１全体の消費電力の情報を取得する。
（ａ９）管理部２０１は、給湯装置１２からその消費電力の情報を取得する。
（ａ１０）管理部２０１は、充電スタンド１６からその消費電力の情報を取得する。
（ａ１１）管理部２０１は、蓄電装置１５からその充電量の情報を取得する。
【００２６】
管理部２０１は、（ａ１）〜（ａ１１）に示される電力情報を取得するとともに、取得した電力情報を記憶部２００に記憶させている。記憶部２００は、半導体メモリ等の非遷移的実体的記録媒体である。
【００２７】
また、管理部２０１は、給湯装置１２、蓄電装置１５、充電スタンド１６、及び機器３０，３２，４０，４２等の住宅１の機器の動作状態を管理している。具体的には、管理部２０１は、ＬＡＮ２５を介して給湯装置１２、蓄電装置１５、充電スタンド１６、及び機器３０，３２，４０，４２と通信を行うことにより、それらが駆動及び停止のいずれの状態であるかを監視している。
【００２８】
制御部２０２は、管理部２０１により管理されている住宅１の電力情報を端末装置２２，２３に表示させる。また、制御部２０２は、ＬＡＮ２５を介して給湯装置１２、蓄電装置１５、充電スタンド１６、及び機器３０，３２，４０，４２と通信を行うことにより、それらの動作状態を切り替える。制御部２０２は、上記の（ａ１）〜（ａ１１）を含む住宅１全体の電力情報に基づいて、例えば充電スタンド１６の駆動及び停止の切り替えや、蓄電装置１５の充電及び放電の切り替えを行うことにより、住宅１全体の電力を節約する電力制御等、住宅１の各種電力状態を管理する制御を行う。
【００２９】
無線ルータ２１は、端末装置２２，２３と無線通信可能に接続されている。また、無線ルータ２１は、住宅のＬＡＮ２５を介してＨＥＭＳ装置２０と通信可能に接続されている。無線ルータ２１は、端末装置２２，２３から無線送信される情報をＨＥＭＳ装置２０に送信する。また、無線ルータ２１は、ＨＥＭＳ装置２０から送信される情報を端末装置２２，２３に無線送信する。
【００３０】
端末装置２２，２３は、管理システム２専用の装置である。端末装置２２，２３は、マイクロコンピュータを中心に構成されており、無線ルータ２１と無線通信を行うための図示しない通信装置等を備えている。また、図２に示されるように、端末装置２２は、管理システム２に関する各種情報を表示するタッチパネル２２０を備えている。端末装置２２では、タッチパネル２２０をタッチ操作することにより各種操作を行うことも可能である。すなわち、タッチパネル２２０は、操作部としての機能も有している。
【００３１】
図１に示されるように、端末装置２２は、主世帯Ｈ１の住人により使用される。端末装置２２は、タッチパネル２２０に対する操作情報を無線ルータ２１を介してＨＥＭＳ装置２０に無線送信する。
【００３２】
端末装置２３も、端末装置２２と同様の構成を有している。端末装置２３は、副世帯Ｈ２の住人により使用される。
【００３３】
ＨＥＭＳ装置２０の制御部２０２は、端末装置２２，２３から送信される操作情報に基づいて住宅１の電力情報を端末装置２２，２３に送信することで、タッチパネル２２０に住宅１の電力情報を表示させる。また、制御部２０２は、端末装置２２，２３から送信される操作情報に基づいて給湯装置１２等の住宅１の機器を制御する。
【００３４】
次に、図３を参照して、制御部２０２により実行される処理の手順について具体的に説明する。制御部２０２は、端末装置２２，２３の操作に基づいて図３に示される処理を開始する。なお、端末装置２２，２３のいずれが操作された場合でも制御部２０２により実行される処理は同一であるため、以下では、便宜上、端末装置２２が操作された場合について代表して説明する。
【００３５】
図３に示されるように、制御部２０２は、まず、ステップＳ１として、ログイン画面Ｇ１を端末装置２２に表示させる。図４に示されるように、ログイン画面Ｇ１は、ＩＤ番号とパスワードとを入力する画面からなる。
【００３６】
図３に示されるように、制御部２０２は、ステップＳ１に続くステップＳ２として、ＩＤ番号及びパスワードが端末装置２２に入力されたか否かを判断する。以下では、便宜上、ログイン画面Ｇ１で入力されるＩＤ番号をログインＩＤ番号と称し、ログイン画面Ｇ１で入力されるパスワードをログインパスワードと称する。制御部２０２は、ステップＳ２で否定判断した場合、すなわちＩＤ番号及びパスワードが入力されていない場合には、ステップＳ１に戻る。
【００３７】
制御部２０２は、ステップＳ２で肯定判断した場合、すなわちＩＤ番号及びパスワードが入力された場合には、ステップＳ３として、端末装置２２の認証が成立したか否かを判断する。
【００３８】
具体的には、図５に示されるように、ＨＥＭＳ装置２０の記憶部２００には、管理者の登録ＩＤ番号Ｎｍと、世帯Ｈ１，Ｈ２毎に割り振られた登録ＩＤ番号Ｎｈ１，Ｎｈ２とが記憶されている。本実施形態では、登録ＩＤ番号Ｎｍ，Ｎｈ１，Ｎｈ２が登録識別情報に相当する。また、記憶部２００には、登録ＩＤ番号Ｎｍ，Ｎｈ１，Ｎｈ２毎に設定された登録パスワードＰｍ，Ｐｈ１，Ｐｈ２も記憶されている。制御部２０２は、ログインＩＤ番号と登録ＩＤ番号Ｎｍ，Ｎｈ１，Ｎｈ２との比較、及びログインパスワードと登録パスワードＰｍ，Ｐｈ１，Ｐｈ２との比較により端末装置２２の認証を行う。例えば制御部２０２は、ログインＩＤ番号が登録ＩＤ番号Ｎｍと一致して、且つログインパスワードが登録パスワードＰｍと一致する場合には、認証が成立したと判断する。図３に示されるように、制御部２０２は、ステップＳ３で否定判断した場合には、すなわち端末装置２２の認証が不成立の場合には、ステップＳ１に戻る。
【００３９】
制御部２０２は、ステップＳ３で肯定判断した場合には、すなわち端末装置２２の認証が成立した場合には、ステップＳ４として、登録ＩＤ番号に応じた所定画面を端末装置２２に表示させる。
【００４０】
具体的には、制御部２０２は、例えば図６に示されるホーム画面Ｇ１０や、図７に示される機器操作画面Ｇ１１を端末装置２２に表示させる。本実施形態では、ホーム画面Ｇ１０及び機器操作画面Ｇ１１が所定画面に相当する。
【００４１】
図６及び図７に示されるように、登録ＩＤ番号Ｎｍに対応するホーム画面Ｇ１０及び機器操作画面Ｇ１１には、共通表示部Ａ１０と、帯部Ｂ１０と、個別表示部Ｃ１０とが設けられている。共通表示部Ａ１０及び帯部Ｂ１０の表示は、ホーム画面Ｇ１０や機器操作画面Ｇ１１を含め、各所定画面で共通に表示される部分である。個別表示部Ｃ１０の表示は、各所定画面で異なる内容が表示される部分である。
【００４２】
共通表示部Ａ１０には、複数の操作部Ａ１１と、使用者名Ａ１２とが表示される。
操作部Ａ１１は、別の画面の表示や、ログアウト等の各種操作を行う際に操作されるアイコンである。例えば端末装置２２の使用者は、操作部Ａ１１を操作することにより、端末装置２２の表示画面をホーム画面Ｇ１０から機器操作画面Ｇ１１に切り替えることができる。
【００４３】
使用者名Ａ１２は、現在の使用者を識別することのできる文字が表示される部分である。ログインＩＤ番号が管理者の登録ＩＤ番号Ｎｍである場合、図６及び図７に示されるように、使用者名Ａ１２には、「管理者」の文字が表示される。ログインＩＤ番号が主世帯Ｈ１の登録ＩＤ番号Ｎｈ１である場合、図８及び図９に示されるように、使用者名Ａ１２には、「主世帯」の文字が表示される。図示は省略するが、ログインＩＤ番号が副世帯Ｈ２の登録ＩＤ番号Ｎｈ２である場合、使用者名Ａ１２には、「副世帯」の文字が表示される。
【００４４】
図６及び図７に示されるように、帯部Ｂ１０は、共通表示部Ａ１０と個別表示部Ｃ１０との境界に帯状に設けられている部分である。
【００４５】
図６に示されるように、ホーム画面Ｇ１０の個別表示部Ｃ１０には、登録ＩＤ番号に応じた住宅１の電力情報が表示される。ログインＩＤ番号が管理者の登録ＩＤ番号Ｎｍである場合、ホーム画面Ｇ１０の個別表示部Ｃ１０には、図６に示されるような住宅１全体の電力情報が表示される。ログインＩＤ番号が主世帯の登録ＩＤ番号Ｎｈ１である場合、ホーム画面Ｇ１０の個別表示部Ｃ１０には、図８に示されるような主世帯Ｈ１に関連する電力情報が表示される。図示は省略するが、ログインＩＤ番号が副世帯Ｈ２の登録ＩＤ番号Ｎｈ２である場合、ホーム画面Ｇ１０の個別表示部Ｃ１０には、副世帯Ｈ２に関連する電力情報が表示される。
【００４６】
図７に示されるように、機器操作画面Ｇ１１の個別表示部Ｃ１０には、登録ＩＤ番号に応じた住宅１の操作可能な機器と、それに対応する操作部Ｄ１１が表示される。ログインＩＤ番号が管理者の登録ＩＤ番号Ｎｍである場合、機器操作画面Ｇ１１の個別表示部Ｃ１０には、図７に示されるような住宅１全体の操作可能な複数の機器と、それらに対応する操作部Ｄ１１が表示される。ログインＩＤ番号が主世帯Ｈ１の登録ＩＤ番号Ｎｈ１である場合、機器操作画面Ｇ１１の個別表示部Ｃ１０には、図９に示されるような主世帯Ｈ１の住人により操作可能な複数の機器と、それらに対応する操作部Ｄ１１が表示される。図示は省略するが、ログインＩＤ番号が副世帯Ｈ２の登録ＩＤ番号Ｎｈ２である場合、機器操作画面Ｇ１１の個別表示部Ｃ１０には、副世帯Ｈ２の住人により操作可能な複数の機器と、それらに対応する操作部Ｄ１１とが表示される。
【００４７】
操作部Ｄ１１はアイコンからなり、「オン」及び「オフ」を選択可能となっている。「オン」は、機器を駆動させることを示し、「オフ」は、機器を停止させることを示す。端末装置２２は、各操作部Ｄ１１の「オン」及び「オフ」が選択されると、その選択情報をＨＥＭＳ装置２０に送信する。ＨＥＭＳ装置２０の制御部２０２は、端末装置２２から送信される選択情報に基づいて機器の駆動及び停止を切り替えることにより、機器の動作状態を切り替える。
【００４８】
このように、制御部２０２は、登録ＩＤ番号Ｎｍ，Ｎｈ１，Ｎｈ２毎に割り振られた、換言すれば端末装置２２の複数の使用者毎に割り振られた複数のホーム画面Ｇ１０及び機器操作画面Ｇ１１を端末装置２２に表示させる。
【００４９】
また、制御部２０２は、登録ＩＤ番号Ｎｍに対応する各画面Ｇ１０，Ｇ１１を表示する場合、登録ＩＤ番号Ｎｈ１に対応する各画面Ｇ１０，Ｇ１１を表示する場合、及び登録ＩＤ番号Ｎｈ２に対応する各画面Ｇ１０，Ｇ１１を表示する場合の各々で、各画面の所定表示を互いに異ならせる。
【００５０】
具体的には、図５に示されるように、記憶部２００には、登録ＩＤ番号Ｎｍ，Ｎｈ１，Ｎｈ２及び登録パスワードＰｍ，Ｐｈ１，Ｐｈ２に合わせて、「背景色」、「帯色」、「操作部の色」、及び「文字」の設定情報が関連付けられて記憶されている。本実施形態では、「背景色」、「帯色」、「操作部の色」、及び「文字」が所定表示に相当する。「背景色」は、共通表示部Ａ１０及び個別表示部Ｃ１０の背景の色を示している。「帯色」は、帯部Ｂ１０の色を示している。「操作部の色」は、操作部Ａ１１，Ｄ１１の色を示している。「文字」は、使用者名Ａ１２に表示される文字を示している。以下では、便宜上、「背景色」、「帯色」、「操作部の色」、及び「文字」のそれぞれの設定情報を所定表示の設定情報とも称する。
【００５１】
ＨＥＭＳ装置２０の制御部２０２は、各設定項目で登録ＩＤ番号Ｎｍ，Ｎｈ１，Ｎｈ２のそれぞれの設定が互いに異なるように所定表示の設定情報を排他設定する。例えば制御部２０２は、管理者の登録ＩＤ番号Ｎｍに対応する「背景色」が緑色に設定されている場合、他の登録ＩＤ番号Ｎｈ１，Ｎｈ２に対応する「背景色」を緑色とは別の色に設定する。「帯色」、「操作部の色」、及び「文字」についても同様である。これにより、登録ＩＤ番号Ｎｍ，Ｎｈ１，Ｎｈ２のそれぞれに対応する各画面Ｇ１０，Ｇ１１では、「背景色」、「帯色」、「操作部の色」、及び「文字」が全て異なっている。
【００５２】
ただし、登録ＩＤ番号Ｎｍ，Ｎｈ１，Ｎｈ２のそれぞれに対応する各画面Ｇ１０，Ｇ１１では、共通表示部Ａ１０の操作部Ａ１１の大きさが共通の大きさとなっている。また、登録ＩＤ番号Ｎｍ，Ｎｈ１，Ｎｈ２のそれぞれに対応する機器操作画面Ｇ１１では、操作部Ｄ１１の大きさが共通の大きさとなっている。
【００５３】
図３に示されるように、ＨＥＭＳ装置２０の制御部２０２は、ステップＳ４を終了すると、ステップＳ４に続くステップＳ５として、端末装置２２に対してログアウト操作が行われたか否かを判断する。制御部２０２は、ログアウト操作が行われていない場合には、ステップＳ５で否定判断し、ステップＳ４に戻る。
【００５４】
制御部２０２は、ログアウト操作が行われた場合には、ステップＳ５で肯定判断し、ステップＳ１に戻る。すなわち、制御部２０２は、ログイン画面Ｇ１を端末装置２２に表示させる。
【００５５】
一方、端末装置２２，２３では、各画面Ｇ１０，Ｇ１１の操作部Ａ１１の操作により、各画面Ｇ１０，Ｇ１１の「背景色」、「帯色」、「操作部の色」、及び「文字」の設定情報を変更することができる。その際、制御部２０２は、設定情報の１つの項目で各登録ＩＤ番号Ｎｍ，Ｎｈ１，Ｎｈ２の設定が互いに異なるように、所定表示の設定情報を排他設定する。
【００５６】
次に、制御部２０２により実行される所定表示の設定情報の排他設定の手順について説明する。なお、端末装置２２，２３のいずれが操作された場合でも制御部２０２により実行される処理は同一であるため、以下では、便宜上、端末装置２２が操作された場合について代表して説明する。
【００５７】
制御部２０２は、端末装置２２の各画面Ｇ１０，Ｇ１１の操作部Ａ１１に対して所定表示の変更操作が行われたときに図１０に示される処理を実行する。変更操作は、各所定表示に対して予め準備された複数のデザイン又は色等を選択することにより行われる。図１０に示されるように、制御部２０２は、まず、ステップＳ１０として、所定表示の変更操作を検出すると、続くステップＳ１１として、変更する所定表示の設定と、記憶部２００に記憶された所定表示の他の設定情報とを比較する。そして、制御部２０２は、ステップＳ１１に続くステップＳ１２として、変更する所定表示の設定が既に用いられているか否かを判定する。
【００５８】
例えば、所定表示の設定情報が図５に示されるように設定されているとする。このとき、例えば管理者の登録ＩＤ番号Ｎｍに対応する「背景色」の設定が「緑色」から「青色」に変更される場合、制御部２０２は、「背景色」の変更色である「青色」と、他の登録ＩＤ番号Ｎｈ１，Ｎｈ２に対応するそれぞれの「背景色」の設定色である「黄色」及び「青色」とを比較する。この場合、制御部２０２は、「背景色」の変更色である「青色」が既に用いられている設定色であると判定する。すなわち、制御部２０２は、ステップＳ１２で肯定判定する。図１０に示されるように、制御部２０２は、ステップＳ１２で肯定判定すると、続くステップＳ１５として、所定表示の変更を禁止する。例えば、制御部２０２は、変更する所定表示の設定情報を記憶部２００に記憶させることなく、所定表示の再度の変更を促す文字等を端末装置２２に表示させる。また、制御部２０２は、例えば既に用いられている「黄色」及び「青色」とは別の色を候補として挙げることにより、「背景色」が排他設定されるように促す。制御部２０２は、ステップＳ１５を終了した後、ステップＳ１０に戻る。
【００５９】
その後、例えば管理者の登録ＩＤ番号Ｎｍに対応する「背景色」の設定が「水色」に変更されたとすると、制御部２０２は、「背景色」の変更色である「水色」が用いられていないと判定する。すなわち、制御部２０２は、ステップＳ１２で否定判定する。制御部２０２は、ステップＳ１２で否定判定すると、続くステップＳ１３として、所定表示の変更を許可する。具体的には、制御部２０２は、変更する所定表示の設定情報を記憶部２００に記憶させる。制御部２０２は、ステップＳ１３を終了した後、ステップＳ１４として、端末装置２２の操作部Ａ１１に対して設定完了操作が行われたか否かを判断する。制御部２０２は、ステップＳ１３で否定判断した場合には、ステップＳ１０に戻る。制御部２０２は、ステップＳ１０で肯定判断した場合には、一連の処理を終了する。
【００６０】
以上説明した本実施形態の住宅１の管理システム２によれば、以下の（１）〜（４）に示される作用及び効果を得ることができる。
【００６１】
（１）制御部２０２は、各画面Ｇ１０，Ｇ１１の「背景色」、「帯色」、「操作部の色」、及び「文字」が互いに異なるように、登録ＩＤ番号Ｎｍ，Ｎｈ１，Ｎｈ２毎に用いられる各画面Ｇ１０，Ｇ１１を排他設定する。これにより、管理者及び各世帯Ｈ１，Ｈ２の住人が自身の各画面Ｇ１０，Ｇ１１を判別し易くなるため、端末装置２２，２３の誤操作を抑制することができる。
【００６２】
（２）制御部２０２は、「背景色」、「帯色」、「操作部の色」、及び「文字」のいずれかの所定表示を変更する際、変更する所定表示の設定と、記憶部２００に記憶された所定表示の設定情報とを比較する。そして、制御部２０２は、変更する所定表示の設定が、所定表示の変更が行われる登録ＩＤ番号とは別の登録ＩＤ番号の各画面Ｇ１０，Ｇ１１で既に用いられている設定情報である場合には、所定表示の変更を禁止する。これにより、登録ＩＤ番号Ｎｍ，Ｎｈ１，Ｎｈ２毎に用いられる各画面Ｇ１０，Ｇ１１を容易に排他設定することができる。
【００６３】
（３）制御部２０２は、端末装置２２，２３の認証が成立した場合、認証の際に用いられた登録ＩＤ番号に対応する「背景色」、「帯色」、「操作部の色」、及び「文字」を用いて各画面Ｇ１０，Ｇ１１を表示する。これにより、例えば端末装置２２，２３のいずれかを２世帯Ｈ１，Ｈ２の住人が使用する場合でも、２つの世帯Ｈ１，Ｈ２の住人毎に各画面Ｇ１０，Ｇ１１の所定表示を切り替えることができる。よって、端末装置２２，２３の誤操作を抑制することができる。
【００６４】
（４）制御部２０２は、登録ＩＤ番号Ｎｍ，Ｎｈ１，Ｎｈ２のそれぞれに対応する各画面Ｇ１０，Ｇ１１において、共通表示部Ａ１０の操作部Ａ１１の大きさを共通の大きさに設定する。また、制御部２０２は、登録ＩＤ番号Ｎｍ，Ｎｈ１，Ｎｈ２のそれぞれに対応する機器操作画面Ｇ１１において、操作部Ｄ１１の大きさを共通の大きさに設定する。これにより、操作部Ａ１１，Ｄ１１の大きさが極端に小さく設定されるような状況を回避できるため、操作性の悪化を回避することができる。
【００６５】
なお、上記実施形態は、以下の形態にて実施することもできる。
・使用者名Ａ１２に用いられる文字は、「管理者」、「主世帯」、及び「副世帯」に限らず、適宜変更可能である。例えば「主世帯」及び「副世帯」に代えて、「親世帯」及び「子世帯」を用いることや、「Ｉ」、「ＩＩ」等を用いることも可能である。
【００６６】
・各画面Ｇ１０，Ｇ１１において登録ＩＤ番号Ｎｍ，Ｎｈ１，Ｎｈ２毎に排他設定される所定表示は、「背景色」、「帯色」、「操作部の色」、及び「文字」に限らず、適宜変更可能である。例えば図１１に示されるように、「管理者」や「主世帯」などの使用者名Ａ１２に代えて記号Ａ１３が用いられている場合には、この記号Ａ１３を登録ＩＤ番号Ｎｍ，Ｎｈ１，Ｎｈ２毎に排他設定してもよい。この場合、図１２に示されるように、記憶部２００には、登録ＩＤ番号Ｎｍ，Ｎｈ１，Ｎｈ２にそれぞれ対応した記号の情報を記憶させればよい。また、各画面Ｇ１０，Ｇ１１の背景、帯部Ｂ１０、及び操作部Ａ１１，Ｄ２２の選択可能な設定は、色に限らず、デザイン等であってもよい。
【００６７】
・制御部２０２は、ホーム画面Ｇ１０及び機器操作画面Ｇ１１とは別の画面を端末装置２２，２３に表示させてもよい。要は、制御部２０２は、登録ＩＤ番号Ｎｍ，Ｎｈ１，Ｎｈ２毎に割り振られた、換言すれば端末装置２２，２３の複数の使用者毎に割り振られた複数の所定画面を端末装置２２，２３に表示させるものであればよい。
【００６８】
・制御部２０２は、端末装置２２，２３でログインを行わないものであってもよい。この場合、例えば端末装置２２を主世帯Ｈ１の専用装置とし、端末装置２３を副世帯Ｈ２の専用装置とする等、各世帯Ｈ１，Ｈ２で端末装置２２，２３を使い分ければよい。この実施例では、制御部２０２は、端末装置２２，２３毎に予め排他設定された「背景色」、「帯色」、「操作部の色」、及び「文字」を用いて各端末装置２２，２３に各画面Ｇ１０，Ｇ１１を表示させる。これにより、上記実施形態に準じた作用及び効果を得ることができる。
【００６９】
・ログイン画面Ｇ１で用いられる識別情報は、ＩＤ番号に限らず、声や指紋等の生体情報を用いることも可能である。
【００７０】
・ＨＥＭＳ装置２０の管理部２０１及び制御部２０２が提供する手段及び／又は機能は、実体的な記憶部２００に記憶されたソフトウェア及びそれを実行するコンピュータ、ソフトウェアのみ、ハードウェアのみ、あるいはそれらの組み合わせにより提供することができる。例えば管理部２０１及び制御部２０２がハードウェアである電子回路により提供される場合、それは多数の論理回路を含むデジタル回路、またはアナログ回路により提供することができる。
【００７１】
・図３及び図１０に示される処理は、端末装置２２，２３で実行することも可能である。すなわち、制御部２０２の機能を端末装置２２，２３に搭載させてもよい。
【００７２】
・管理部２０１は、住宅１の電力情報のみを管理するものであってもよい。この場合、制御部２０２は、住宅１の電力情報の表示を行うための所定画面を端末装置２２，２３に表示させるものであればよい。また、管理部２０１は、住宅１の機器の動作のみを管理するものであってもよい。この場合、制御部２０２は、管理部２０１を介した住宅１の機器の操作を行うための所定画面を端末装置２２，２３に表示させるものであればよい。
【００７３】
・実施形態の管理システム２の構成は、２世帯住宅に限らず、３世帯以上の複数世帯の住宅にも適用することが可能である。
【００７４】
・本発明は上記の具体例に限定されるものではない。すなわち、上記の具体例に、当業者が適宜設計変更を加えたものも、本発明の特徴を備えている限り、本発明の範囲に包含される。例えば、前述した各具体例が備える各要素及びその配置や条件等は、例示したものに限定されるわけではなく適宜変更することができる。また、前述した実施形態が備える各要素は、技術的に可能な限りにおいて組み合わせることができ、これらを組み合わせたものも本発明の特徴を含む限り本発明の範囲に包含される。
【符号の説明】
【００７５】
１：住宅
２２，２３：端末装置
２００：記憶部
２０１：管理部
２０２：制御部
【図１】
0006459871.tif 000002
【図２】
0006459871.tif 000003
【図３】
0006459871.tif 000004
【図４】
0006459871.tif 000005
【図５】
0006459871.tif 000006
【図６】
0006459871.tif 000007
【図７】
0006459871.tif 000008
【図８】
0006459871.tif 000009
【図９】
0006459871.tif 000010
【図１０】
0006459871.tif 000011
【図１１】
0006459871.tif 000012
【図１２】
0006459871.tif 000013